(57)【要約】      （修正有）【課題】汚れが蓄積しやすく、取り外して洗浄しにくい問題を解決する、カバー付きのカップ及び分解洗浄可能なカップカバーを提供する。【解決手段】分解洗浄可能なカップカバーは、カップ本体に適合する外カバー２０ａであって、外カバーの最上部内壁が下向きに突出して係止フレームが形成されており、係止フレームの内壁に係止溝が形成されており、係止フレームの底端に係止溝に連通するノッチが形成されている外カバーと、外カバー内に垂直に設けられている内栓３０ａであって、内栓の最上部が係止フレームに挿設されており、内栓の外壁の上端に係止ブロック３３ａが形成されており、係止ブロックが係止溝に挿設されていることによって内栓と外カバーとの位置制限接続を実現し、内栓を回転させることによって、係止ブロックを動かして係止溝内からノッチに回転させ且つノッチによって係止溝から脱離することにより、内栓と外カバーを分離する。【選択図】図１
0003234978.tif 000002
【実用新案登録請求の範囲】
【請求項１】
カップ本体とカップカバーとを含むカバー付きのカップであって、
カップ本体の最上部にカップ開口スリーブが嵌設されており、前記カップ開口スリーブの外壁に突起ブロックが形成されており、
カップカバーの内側壁に前記突起ブロックに適合する凹溝が形成されており、前記凹溝の底部側壁が前記カップカバーの底端に斜め下向きに延び、
前記カップカバーが前記カップ本体の最上部に嵌設されている時、前記カップカバーを回転させることによって前記突起ブロックが前記凹溝の底部側壁に沿って前記凹溝内に挿設されるまで移動して固着を実現する、ことを特徴とするカバー付きのカップ。
【請求項２】
カップ本体に適合する外カバーであって、前記外カバーの最上部内壁が下向きに突出して係止フレームが形成されており、前記係止フレームの内壁に係止溝が形成されており、前記係止フレームの底端に前記係止溝に連通するノッチが形成されている外カバーと、
前記外カバー内に垂直に設けられている内栓であって、前記内栓の最上部が前記係止フレームに挿設されており、前記内栓の外壁の上端に係止ブロックが形成されており、前記係止ブロックが前記係止溝に挿設されていることによって前記内栓と前記外カバーとの位置制限接続を実現し、前記内栓を回転させることによって、前記係止ブロックを動かして前記係止溝内から前記ノッチに回転させ且つ前記ノッチによって前記係止溝から脱離することにより、前記内栓と前記外カバーを分離する内栓とを含む、ことを特徴とする分解洗浄可能なカップカバー。
【請求項３】
前記内栓の内部が中空であり、前記内栓の側壁に垂直溝が開設されており、前記垂直溝内に垂直に設けられており且つ前記内栓にヒンジ接続されているロック部材であって、前記ロック部材は、ヒンジ接続箇所の周りを回転可能であり、前記ロック部材の上端が前記係止フレームの内壁に対応するロック部材と、
一端が前記ロック部材の底端に接続されており、他端が前記内栓の内部を指向し且つ前記内栓に接続されている第一のバネと、
前記内栓の底端に嵌設されており且つ前記垂直溝の底部に対応する弾性漏れ防止スリーブであって、前記弾性漏れ防止スリーブが前記ロック部材の底部に拘束されており、前記ロック部材を動かしてヒンジ接続箇所の周りを回転させることにより前記ロック部材の上端が前記係止フレームの内壁に支持されていることにより、前記内栓と前記外カバーとの相対的な回転を防止する弾性漏れ防止スリーブとをさらに含み、
前記弾性漏れ防止スリーブを前記内栓から脱離することによって前記ロック部材への拘束を解除し、前記ロック部材が前記第一のバネの作用でヒンジ接続箇所の周りを回転し、前記ロック部材の上端を動かして前記係止フレームから脱離させることにより、前記内栓と前記外カバーが相対的に回転可能である、ことを特徴とする請求項２に記載の分解洗浄可能なカップカバー。
【請求項４】
前記内栓の最上部が開口し且つ底部が底板によって閉鎖され、前記底板に排気孔が開設されており、
前記外カバーの最上部に前記内栓に連通する貫通口が開設されており、
排気弁をさらに含み、前記排気弁の外に第二のバネが嵌設されており、前記排気弁が前記貫通口によって前記内栓に挿設されており且つ前記排気孔から突出し、前記第二のバネが前記排気弁の上端と前記底板との間に接続されており、前記排気弁の底端に封止リングが嵌設されており、前記封止リングが前記排気孔に封止されており、前記排気弁が下向きに移動するように押圧することによって、前記封止リングを動かして下向きに移動させて前記排気孔から脱離することにより、前記排気孔を開き、前記排気弁への押圧を解除し、前記排気弁が前記第二のバネの作用で上向きに移動してリセットする、ことを特徴とする請求項３に記載の分解洗浄可能なカップカバー。
【請求項５】
前記内栓に前記垂直溝の対向両側に設けられている一対の接続ラグが形成されており、
回転軸が一対の前記接続ラグと前記ロック部材の中央部を横方向に穿設することによってヒンジ接続を実現する、ことを特徴とする請求項３に記載の分解洗浄可能なカップカバー。
【請求項６】
前記内栓の内部に前記ロック部材に正対する固定板が形成されており、前記固定板が前記第一のバネの他端に接続されている、ことを特徴とする請求項３に記載の分解洗浄可能なカップカバー。
【請求項７】
前記カップ本体の内壁にリングの防水リブが固定されており、
前記外カバーが前記カップ本体に覆設されている時、前記弾性漏れ防止スリーブが前記防水リブに密着されている、ことを特徴とする請求項３に記載の分解洗浄可能なカップカバー。
【請求項８】
前記カップ本体の最上部にカップ開口スリーブが嵌設されており、前記カップ開口スリーブの外壁に突起ブロックが形成されており、
前記外カバーの内側壁に前記突起ブロックに適合する凹溝が形成されており、前記凹溝の底部側壁が前記カップカバーの底端に斜め下向きに延び、
前記外カバーが前記カップ本体の最上部に嵌設されている時、前記外カバーを回転させることによって前記突起ブロックが前記凹溝の底部側壁に沿って前記凹溝内に挿設されるまで移動して固着を実現する、ことを特徴とする請求項２に記載の分解洗浄可能なカップカバー。
【請求項９】
前記カップ本体の最上部にカップ開口スリーブが嵌設されており、前記カップ開口スリーブの外壁に突起ブロックが形成されており、
前記外カバーの内側壁に前記突起ブロックに適合する凹溝が形成されており、前記凹溝の底部側壁が前記カップカバーの底端に斜め下向きに延び、
前記外カバーが前記カップ本体の最上部に嵌設されている時、前記外カバーを回転させることによって前記突起ブロックが前記凹溝の底部側壁に沿って前記凹溝内に挿設されるまで移動して固着を実現する、ことを特徴とする請求項７に記載の分解洗浄可能なカップカバー。
【請求項１０】
外カバーを強く押圧し且つ回転させることによって、突起ブロックを凹溝の底部側壁に沿って凹溝内に挿設されるまで移動し、弾性漏れ防止スリーブが防水リブに密着されており、上向きの反作用力を生成することにより、外カバー全体が上向きの作用力を有することにより、突起ブロックが外カバーの凹溝に密着されている、ことを特徴とする請求項９に記載の分解洗浄可能なカップカバー。
【考案の詳細な説明】
【技術分野】
【０００１】
本考案は、容器の分野に関し、特にカバー付きのカップ及び分解洗浄可能なカップカバーに関する。
【背景技術】
【０００２】
従来技術のカップカバーは、一般的には、外カバーと外カバーに直接固定されている内栓等の構造を含み、各構造の間が固定して接続されて取り外すことができない。カップカバーをカップ本体に覆設する時、カップカバーとカップ本体がねじによって接続されており、覆設と開ける操作が不便である。且つ外カバーの下の内栓は、カップ本体内の溶液に接触するために、カップ本体内に深く入る必要があり、カップカバーは、汚れが蓄積しやすく、取り外して洗浄しにくい。
【考案の概要】
【考案が解決しようとする課題】
【０００３】
本考案の目的は、従来技術の欠陥を克服し、従来技術において汚れが蓄積しやすく、取り外して洗浄しにくいという問題を解決するための分解洗浄可能なカップカバーを提供することにある。
【課題を解決するための手段】
【０００４】
上記目的を実現する技術的解決策は、以下の通りである。
本考案は、分解洗浄可能なカップカバーを提供する。
カップ本体に適合する外カバーであって、前記外カバーの最上部内壁が下向きに突出して係止フレームが形成されており、前記係止フレームの内壁に係止溝が形成されており、前記係止フレームの底端に前記係止溝に連通するノッチが形成されている外カバーと、
前記外カバー内に垂直に設けられている内栓であって、前記内栓の最上部が前記係止フレームに挿設されており、前記内栓の外壁の上端に係止ブロックが形成されており、前記係止ブロックが前記係止溝に挿設されていることによって前記内栓と前記外カバーとの位置制限接続を実現し、前記内栓を回転させることによって、前記係止ブロックを動かして前記係止溝内から前記ノッチに回転させ且つ前記ノッチによって前記係止溝から脱離することにより、前記内栓と前記外カバーを分離する内栓とを含む。
【０００５】
本考案の分解洗浄可能なカップカバーの更なる改良は、以下のとおりである。
前記内栓の内部が中空であり、前記内栓の側壁に垂直溝が開設されており、前記垂直溝内に垂直に設けられており且つ前記内栓にヒンジ接続されているロック部材であって、前記ロック部材は、ヒンジ接続箇所の周りを回転可能であり、前記ロック部材の上端が前記係止フレームの内壁に対応するロック部材と、
一端が前記ロック部材の底端に接続されており、他端が前記内栓の内部を指向し且つ前記内栓に接続されている第一のバネと、
前記内栓の底端に嵌設されており且つ前記垂直溝の底部に対応する弾性漏れ防止スリーブであって、前記弾性漏れ防止スリーブが前記ロック部材の底部に拘束されており、前記ロック部材を動かしてヒンジ接続箇所の周りを回転させることにより前記ロック部材の上端が前記係止フレームの内壁に支持されていることにより、前記内栓と前記外カバーとの相対的な回転を防止する弾性漏れ防止スリーブとをさらに含み、
前記弾性漏れ防止スリーブを前記内栓から脱離することによって前記ロック部材への拘束を解除し、前記ロック部材が前記第一のバネの作用でヒンジ接続箇所の周りを回転し、前記ロック部材の上端を動かして前記係止フレームから脱離させることにより、前記内栓と前記外カバーが相対的に回転可能である。
【０００６】
本考案の分解洗浄可能なカップカバーの更なる改良は、以下のとおりである。
前記内栓の最上部が開口し且つ底部が底板によって閉鎖され、前記底板に排気孔が開設されており、
前記外カバーの最上部に前記内栓に連通する貫通口が開設されており、
排気弁をさらに含み、前記排気弁の外に第二のバネが嵌設されており、前記排気弁が前記貫通口によって前記内栓に挿設されており且つ前記排気孔から突出し、前記第二のバネが前記排気弁の上端と前記底板との間に接続されており、前記排気弁の底端に封止リングが嵌設されており、前記封止リングが前記排気孔に封止されており、前記排気弁が下向きに移動するように押圧することによって、前記封止リングを動かして下向きに移動させて前記排気孔から脱離することにより、前記排気孔を開き、前記排気弁への押圧を解除し、前記排気弁が前記第二のバネの作用で上向きに移動してリセットする。
【０００７】
本考案の分解洗浄可能なカップカバーの更なる改良は、以下のとおりである。
前記内栓に前記垂直溝の対向両側に設けられている一対の接続ラグが形成されており、
回転軸が一対の前記接続ラグと前記ロック部材の中央部を横方向に穿設することによってヒンジ接続を実現する。
【０００８】
本考案の分解洗浄可能なカップカバーの更なる改良は、以下のとおりである。
前記内栓の内部に前記ロック部材に正対する固定板が形成されており、前記固定板が前記第一のバネの他端に接続されている。
【０００９】
本考案の分解洗浄可能なカップカバーの更なる改良は、以下のとおりである。
前記カップ本体の内壁にリングの防水リブが固定されており、
前記外カバーが前記カップ本体に覆設されている時、前記弾性漏れ防止スリーブが前記防水リブに密着されている。
【００１０】
本考案の分解洗浄可能なカップカバーの更なる改良は、以下のとおりである。
前記カップ本体の最上部にカップ開口スリーブが嵌設されており、前記カップ開口スリーブの外壁に突起ブロックが形成されており、
前記外カバーの内側壁に前記突起ブロックに適合する凹溝が形成されており、前記凹溝の底部側壁が前記カップカバーの底端に斜め下向きに延び、
前記外カバーが前記カップ本体の最上部に嵌設されている時、前記外カバーを回転させることによって前記突起ブロックが前記凹溝の底部側壁に沿って前記凹溝内に挿設されるまで移動して固着を実現する。
【考案の効果】
【００１１】
本考案の分解洗浄可能なカップカバーの有益な効果は、以下のとおりである。
本考案は、外カバーの係止フレームの内壁に係止溝を形成することによって、係止フレームの底端に係止溝に連通するノッチが形成されており、内栓の最上部を係止フレームに挿設することによって、内栓の係止ブロックを係止溝に挿設することによって内栓と外カバーとの位置制限接続を実現し、内栓を回転させることによって、係止ブロックを動かして係止溝内からノッチに回転させ且つノッチによって係止溝から脱離することにより、前記内栓と前記外カバーを分離する。本考案は、内栓と外カバーを取り外して別々の部品に分離することができ、洗浄しやすく、取り付けやすく、それにより従来技術においてカバーカップは、汚れが蓄積しやすく、取り外して洗浄しにくいという問題を解決する。
【図面の簡単な説明】
【００１２】
【図１】本考案の分解洗浄可能なカップカバーの第一の実施例の分解概略図である。
【図２】本考案の分解洗浄可能なカップカバーの第一の実施例の外カバー図である。
【図３】本考案の分解洗浄可能なカップカバーの第一の実施例の外カバー断面図である。
【図４】本考案の分解洗浄可能なカップカバーがカップ本体に覆設されている第一の実施例の立体図である。
【図５】図４の断面図である。
【図６】本考案の分解洗浄可能なカップカバーがカップ本体から脱離する第一の実施例の立体図である。
【図７】図６の断面図である。
【図８】本考案の分解洗浄可能なカップカバーの第二の実施例の分解概略図である。
【図９】本考案の分解洗浄可能なカップカバーの第二の実施例の外カバー図である。
【図１０−１１】本考案の分解洗浄可能なカップカバーがカップ本体に覆設されている第二の実施例の横断面図と側断面図である。
【図１２−１３】本考案の分解洗浄可能なカップカバーがカップ本体から脱離する第二の実施例の横断面図と側断面図である。
【図１４】カップカバーとカップ本体とが閉蓋する時の横断面図である。
【考案を実施するための形態】
【００１３】
以下では、図面と具体的な実施例を参照しながら、本考案についてさらに説明する。
【００１４】
図１を参照すると、本考案の分解洗浄可能なカップカバーの第一の実施例の分解概略図を示す。図２は、本考案の分解洗浄可能なカップカバーの第一の実施例の外カバー図である。図３は、本考案の分解洗浄可能なカップカバーの第一の実施例の外カバー断面図である。図４は、本考案の分解洗浄可能なカップカバーがカップ本体に覆設されている第一の実施例の立体図である。図５は、図４の断面図である。図６は、本考案の分解洗浄可能なカップカバーがカップ本体から脱離する第一の実施例の立体図である。図７は、図６の断面図である。図１〜図７に示すように、本考案の分解洗浄可能なカップカバーは、
カップ本体１０ａに適合する外カバー２０ａであって、外カバー２０ａの最上部内壁が下向きに突出して係止フレーム２１ａが形成されており、係止フレーム２１ａの内壁に係止溝２１０が形成されており、係止フレーム２１ａの底端に係止溝２１０ａに連通するノッチ２１１ａが形成されている外カバー２０ａと、
外カバー２０ａ内に垂直に設けられている内栓３０ａであって、内栓３０ａの最上部が係止フレーム２１ａに挿設されており、内栓３０ａの外壁の上端に係止ブロック３３ａが形成されており、係止ブロック３３ａが係止溝に挿設されていることによって内栓３０ａと外カバー２０ａとの位置制限接続を実現し、内栓３０ａを回転させることによって、係止ブロック３３ａを動かして係止溝２１０ａ内からノッチ２１１ａに回転させ且つノッチによって係止溝２１０ａから脱離することにより、内栓３０ａと外カバー２０ａを分離する内栓３０ａとを含む。
【００１５】
本考案は、内栓と外カバーを取り外して別々の部品に分離することができ、洗浄しやすく、取り付けやすく、それにより従来技術においてカバーカップは、汚れが蓄積しやすく、取り外して洗浄しにくいという問題を解決する。
【００１６】
本考案の分解洗浄可能なカップカバーの好ましい実施形態として、内栓３０ａの内部が中空であり、内栓３０ａの最上部が開口し且つ底部が底板によって閉鎖され、底板に排気孔が開設されており、外カバー２０ａの最上部に内栓３０ａに連通する貫通口が開設されており、排気弁７０ａをさらに含み、排気弁７０ａの外に第二のバネ７２ａが嵌設されており、排気弁７０ａが貫通口によって内栓３０ａに挿設されており且つ排気孔から突出し、第二のバネ７２ａが排気弁７０ａの上端と底板との間に接続されており、排気弁７０ａの底端に封止リング７１ａが嵌設されており、封止リング７１ａが排気孔に封止されており、排気弁７０ａが下向きに移動するように押圧することによって、封止リング７１ａを動かして下向きに移動させて排気孔から脱離することにより、排気孔を開き、排気弁７０ａへの押圧を解除し、排気弁７０ａが第二のバネ７２ａの作用で上向きに移動してリセットする。
【００１７】
カップ本体内に熱水が充填されており、温度の低下に伴って熱膨張冷収縮し、外部の大気圧がカップ本体の内部気圧よりも明らかに高い時、カップ本体の内外に圧力差があり、カバー体を開け難い。排気弁７０ａを設け、排気弁７０ａが下向きに移動するように押圧し、封止リング７１ａを動かして排気孔から脱離させることにより、排気孔を開き、カップ本体の内外気圧がバランスを取り、カップカバーを開け易い。
【００１８】
具体的には、排気弁７０ａは、円柱ロッドであり、底板の排気孔の口径が排気弁７０ａの底端の外径よりもわずかに大きく、排気弁７０ａが下向きに移動した後に封止リング７１ａを動かして排気孔を脱離させ、排気孔を開いて排気を行うとともに、排気弁７０ａの挿設と上下移動を容易にする。
【００１９】
封止リング７１ａは、排気弁７０ａの底端に嵌設されているシリカゲルスリーブである。シリカゲルスリーブによって排気弁７０ａと底板との間のギャップを閉鎖し、漏れを防止する。
【００２０】
さらに、底板の上側に排気孔に対応するブッシングが固定されており、排気弁７０ａがブッシングを貫通し且つブッシングの内壁に貼合わせられ、漏れ防止とガイドの役割を果たす。
【００２１】
本考案の分解洗浄可能なカップカバーの好ましい実施形態として、排気弁７０ａの最上部に周側が排気弁７０ａから突出する鍔部が形成されており、第二のバネ７２ａの上端を位置制限するために用いられ、第二のバネ７２ａの底端が底板の上側のブッシング上に当接しており、位置制限を行う。排気弁７０ａが下向きに移動するように押圧する時に第二のバネ７２ａを圧縮し、押圧を解除した後、第二のバネ７２ａの弾性作用で、排気弁７０ａが上向きに移動してリセットする。
【００２２】
本考案の分解洗浄可能なカップカバーの好ましい実施形態として、貫通口に設けられており且つ外カバー２０ａに接合されているボタン２２ａをさらに含み、ボタン２２ａが排気弁７０ａの最上部に被覆されており、ボタン２２ａのエッジが斜め下向きに突出して位置制限リングが形成されており、位置制限リングが外カバー２０ａの最上部内壁に係止されており、ボタン２２の最上面と外カバー２０ａの最上面とは面一である。ボタン２２ａがエッジの位置制限リングによって外カバー２０ａの最上部内壁に係止されていることにより、ボタン２２ａを位置制限し、ボタン２２ａの落下を防止する。ボタン２２ａは、可撓性材料であり、押圧によって変形が発生し、さらに排気弁７０ａを押圧することができる。
【００２３】
本考案の分解洗浄可能なカップカバーの好ましい実施形態として、外カバー２０ａがカップ本体１０ａの最上部に嵌設されており且つカップ開口を被覆し、内栓３０ａがカップ開口によってカップ本体１０ａ内に挿設されており、カップ本体１０ａの内壁にリングの防水リブが固定されており、外カバーがカップ本体に覆設されている時、弾性漏れ防止スリーブ６０ａが防水リブに密着されており、弾性変形してカップ本体１０の内壁と内栓３０ａの接触面との間のギャップを封止し、漏れを回避することができる。
【００２４】
本考案の分解洗浄可能なカップカバーの好ましい実施形態として、カップ本体１０ａの最上部にカップ開口スリーブ８０ａが嵌設されており、カップ開口スリーブ８０ａの外壁に突起ブロック８１ａが形成されており、外カバー２０ａの内側壁に突起ブロック８１ａに適合する凹溝が形成されており、凹溝の底部側壁が外カバー２０ａの底端に斜め下向きに延び、外カバー２０ａがカップ本体１０ａの最上部に嵌設されている時、外カバー２０ａを回転させることによって突起ブロック８１ａが凹溝の底部側壁に沿って凹溝内に挿設されるまで移動して固着を実現する。
【００２５】
さらに、内栓３０ａの底部に弾性漏れ防止スリーブ６０ａが嵌設されている。具体的には、突起ブロック８１ａは、少なくとも４つあり、カップ開口スリーブ８０ａの外壁に間隔をおいて設けられている。外カバー２０ａを強く押圧し且つ４５°回転させることによって、突起ブロック８１ａを凹溝の底部側壁に沿って凹溝内に挿設されるまで移動し、弾性漏れ防止スリーブ６０ａが防水リブに密着されており、上向きの反作用力を生成することにより、外カバー全体が上向きの作用力を有することにより、突起ブロック８１ａが外カバー２０ａの凹溝に密着されており、カバーをロックして固着するという効果を達成し、カバーを開けるのは、外カバー２０ａを強く押し下げて回転させることにより、突起ブロック８１ａが凹溝の底部側壁に沿って移動して凹溝から出るようにすれば、外カバー２０ａとカップ本体１０ａとを分離することができ、従来技術において、外カバーを開けるために、ねじ設計によって、外カバー２０ａを何回も回転させる必要があるという操作を回避する。
【００２６】
さらに、カップ本体１０ａ上に外カバー２０ａの底端を支持するための水平な受け板が形成されている。外カバー２０ａがカップ本体１０ａに覆設された後、外カバー２０ａとカップ本体１０の側壁とが対応して面一となり、全体的に美観である。
【００２７】
本考案は、分解洗浄可能なカップカバーの取り外し方法をさらに提供し、
内栓３０ａと外カバー２０ａとを相対的に回転させ、係止ブロック３３ａを動かして係止溝内からノッチに回転させるステップと、
内栓３０ａを外カバー２０ａの底端に移動させ、係止ブロック３３ａを動かしてノッチから移動して係止溝を脱離させることにより、内栓３０ａと外カバー２０ａを分離するステップとを含む。
【００２８】
本考案の分解洗浄可能なカップカバーは、第二の実施例をさらに含む。図８を参照すると、本考案の分解洗浄可能なカップカバーの第二の実施例の分解概略図である。図９は、本考案の分解洗浄可能なカップカバーの第二の実施例の外カバー図である。図１０と図１１は、本考案の分解洗浄可能なカップカバーがカップ本体に覆設されている第二の実施例の横断面図と側断面図である。図１２と図１３は、本考案の分解洗浄可能なカップカバーがカップ本体から脱離する第二の実施例の横断面図と側断面図である。図９〜図１３に示すように、内栓３０の内部が中空であり、内栓３０の側壁に垂直溝が開設されており、垂直溝内に垂直に設けられており且つ内栓３０にヒンジ接続されているロック部材４０であって、ロック部材４０は、ヒンジ接続箇所の周りを回転可能であり、ロック部材４０の上端が係止フレーム２１の内壁に対応するロック部材４０と、一端がロック部材４０の底端に接続されており、他端が内栓３０の内部を指向し且つ内栓３０に接続されている第一のバネ５０と、内栓３０の底端に嵌設されており且つ垂直溝の底部に対応する弾性漏れ防止スリーブ６０であって、弾性漏れ防止スリーブ６０がロック部材４０の底部に拘束されており、ロック部材４０を動かしてヒンジ接続箇所の周りを回転させることによりロック部材４０の上端が係止フレーム２１の内壁に支持されていることにより、内栓３０と外カバー２０との相対的な回転を防止する弾性漏れ防止スリーブ６０とをさらに含み、弾性漏れ防止スリーブ６０を内栓３０から脱離することによってロック部材４０への拘束を解除し、ロック部材４０が第一のバネ５０の作用でヒンジ接続箇所の周りを回転し、ロック部材４０の上端を動かして係止フレーム２１から脱離させることにより、内栓３０と外カバー２０が相対的に回転可能である。
【００２９】
さらに、本考案は、内栓の側壁にロック部材をヒンジ接続し、弾性漏れ防止スリーブを内栓に嵌設してロック部材の底部を拘束して押圧することによって、ロック部材の最上部がヒンジ接続箇所の周りを外側に向いて回転し、内栓の最上部を外カバーの係止フレーム内に挿設する時、ロック部材の最上部が外カバーの係止フレーム内壁に支持されていることにより、接続ロック部材と外カバーを位置制限し、内栓と外カバーが誤って相対的に回転して取り外すことを防止する。
【００３０】
弾性漏れ防止スリーブを内栓から脱離することによりロック部材への押圧拘束を解除し、ロック部材が第一のバネの作用でヒンジ接続箇所の周りを回転し、ロック部材の上端を動かして係止フレームの内壁から脱離させることにより、内栓と外カバーが相対的に回転可能である。内栓と外カバーを相対的に回転させることにより係止ブロックを動かして係止溝内からノッチに回転させ且つノッチによって係止溝から脱離させ、内栓を取り出すことができる。本考案は、内栓と外カバーを取り外して別々の部品に分離することができ、洗浄しやすく、取り付けやすく、それにより本考案は、従来技術においてカップカバーは、汚れが蓄積しやすく、取り外して洗浄しにくいという問題を解決する。
【００３１】
本考案の分解洗浄可能なカップカバーの好ましい実施形態として、内栓３０の最上部が開口し且つ底部が底板によって閉鎖され、底板に排気孔が開設されており、外カバー２０の最上部に内栓３０に連通する貫通口が開設されており、排気弁７０をさらに含み、排気弁７０の外に第二のバネ７２が嵌設されており、排気弁７０が貫通口によって内栓３０に挿設されており且つ排気孔から突出し、第二のバネ７２が排気弁７０の上端と底板との間に接続されており、排気弁７０の底端に封止リング７１が嵌設されており、封止リング７１が排気孔に封止されており、排気弁７０が下向きに移動するように押圧することによって、封止リング７１を動かして下向きに移動させて排気孔から脱離することにより、排気孔を開き、排気弁７０への押圧を解除し、排気弁７０が第二のバネ７２の作用で上向きに移動してリセットする。
【００３２】
カップ本体内に熱水が充填されており、温度の低下に伴って熱膨張冷収縮し、外部の大気圧がカップ本体の内部気圧よりも明らかに高い時、カップ本体の内外に圧力差があり、カバー体を開け難い。排気弁７０を設け、排気弁７０が下向きに移動するように押圧し、封止リング７１を動かして排気孔から脱離させることにより、排気孔を開き、カップ本体の内外気圧がバランスを取り、カップカバーを開け易い。
【００３３】
具体的には、排気弁７０は、円柱ロッドであり、底板の排気孔の口径が排気弁７０の底端の外径よりもわずかに大きく、排気弁７０が下向きに移動した後に封止リング７１を動かして排気孔を脱離させ、排気孔を開いて排気を行うとともに、排気弁７０の挿設と上下移動を容易にする。
【００３４】
封止リング７１は、排気弁７０の底端に嵌設されているシリカゲルスリーブである。シリカゲルスリーブによって排気弁７０と底板との間のギャップを閉鎖し、漏れを防止する。
【００３５】
さらに、底板の上側に排気孔に対応するブッシングが固定されており、排気弁７０がブッシングを貫通し且つブッシングの内壁に貼合わせられ、漏れ防止とガイドの役割を果たす。
【００３６】
本考案の分解洗浄可能なカップカバーの好ましい実施形態として、排気弁７０の最上部に周側が排気弁７０から突出する鍔部が形成されており、第二のバネ７２の上端を位置制限するために用いられ、第二のバネ７２の底端が底板の上側のブッシング上に当接しており、位置制限を行う。排気弁７０が下向きに移動するように押圧する時に第二のバネ７２を圧縮し、押圧を解除した後、第二のバネ７２の弾性作用で、排気弁７０が上向きに移動してリセットする。
【００３７】
本考案の分解洗浄可能なカップカバーの好ましい実施形態として、貫通口に設けられており且つ外カバー２０に接合されているボタン２２をさらに含み、ボタン２２が排気弁７０の最上部に被覆されており、ボタン２２のエッジが斜め下向きに突出して位置制限リングが形成されており、位置制限リングが外カバー２０の最上部内壁に係止されており、ボタン２２の最上面と外カバー２０の最上面とは面一である。ボタン２２がエッジの位置制限リングによって外カバー２０の最上部内壁に係止されていることにより、ボタン２２を位置制限し、ボタン２２の落下を防止する。ボタン２２は、可撓性材料であり、例えばソフトゲルであり、押圧によって変形が発生し、さらに排気弁７０を押圧することができる。
【００３８】
本考案の分解洗浄可能なカップカバーの好ましい実施形態として、内栓３０に垂直溝の対向両側に設けられている一対の接続ラグ３１が形成されており、回転軸が一対の接続ラグとロック部材４０の中央部を横方向に穿設することによってヒンジ接続を実現し、内栓３０の内部にロック部材４０に正対する固定板３２が形成されており、固定板３２が第一のバネ５０の他端に接続されている。ロック部材４０は、回転軸の周りを内栓３０の内部又は外部に向いて回転することができる。
【００３９】
さらに、内栓３０の最上部から下向きに長尺形の垂直溝が切り取られ、垂直溝の底面と内栓３０の底端との間に距離がある。ロック部材４０は、垂直溝に適合する長尺ブロック状である。ロック部材４０の上端の外部に突起が形成されており、外カバー２０の内壁に支持されるために用いられ、それにより内栓３０と外カバー２０とを位置制限接続する。
【００４０】
さらに、内栓３０の外壁に円環状であり、且つ上下に設けられている上環状板と下環状板がさらに形成されている。そのうち上環状板が外カバーの係止フレームの底端に当接しており、下環状板が弾性漏れ防止スリーブ６０の上端に当接しており、位置制限を行う。
【００４１】
さらに、弾性漏れ防止スリーブ６０は、シリカゲルスリーブである。シリカゲルスリーブの弾性変形を利用し、内栓３０の外壁上に拘束されており、ロック部材４０の底端を位置制限し、ロック部材４０の底端が第一のバネ５０の作用で外向きに回転することを回避することができる。
【００４２】
本考案の分解洗浄可能なカップカバーの好ましい実施形態として、外カバー２０がカップ本体１０の最上部に嵌設されており且つカップ開口を被覆し、内栓３０がカップ開口によってカップ本体１０内に挿設されており、カップ本体１０の内壁にリングの防水リブが固定されており、弾性漏れ防止スリーブ６０が防水リブに密着されており、弾性変形してカップ本体１０の内壁と内栓３０の接触面との間のギャップを封止し、漏れを回避することができる。
【００４３】
本考案の分解洗浄可能なカップカバーの好ましい実施形態として、カップ本体１０の最上部にカップ開口スリーブ８０が嵌設されており、カップ開口スリーブ８０の外壁に突起ブロック８１が形成されており、外カバー２０の内側壁に突起ブロック８１に適合する凹溝が形成されており、凹溝の底部側壁が外カバー２０の底端に斜め下向きに延び、外カバー２０がカップ本体１０の最上部に嵌設されている時、外カバー２０を回転させることによって突起ブロック８１が凹溝の底部側壁に沿って凹溝内に挿設されるまで移動して固着を実現する。
【００４４】
さらに、突起ブロック８１は、少なくとも４つあり、カップ開口スリーブ８０の外壁に間隔をおいて設けられている。外カバー２０を強く押圧し且つ４５°回転させることによって、突起ブロック８１を凹溝の底部側壁に沿って凹溝内に挿設されるまで移動し、弾性漏れ防止スリーブ６０が防水リブに密着されており、上向きの反作用力を生成することにより、外カバー全体が上向きの作用力を有することにより、突起ブロック８１が外カバー２０の凹溝に密着されており、カバーをロックして固着するという効果を達成し、カバーを開けるのは、外カバー２０を強く押し下げて回転させることにより、突起ブロック８１が凹溝の底部側壁に沿って移動して凹溝から出るようにすれば、外カバー２０とカップ本体１０とを分離することができ、従来技術において、外カバーを開けるために、ねじ設計によって、外カバー２０を何回も回転させる必要があるという操作を回避する。
【００４５】
さらに、カップ本体１０上に外カバー２０の底端を支持するための水平な受け板が形成されている。外カバー２０がカップ本体１０に覆設された後、外カバー２０とカップ本体１０の側壁とが対応して面一となり、全体的に美観である。
【００４６】
本考案は、分解洗浄可能なカップカバーの取り外し方法をさらに提供し、以下のようなステップを含む。
弾性漏れ防止スリーブ６０を内栓３０から脱離することによりロック部材４０への拘束を解除することにより、内栓３０と外カバー２０が相対的に回転可能にするステップと、
内栓３０と外カバー２０とを相対的に回転させ、係止ブロック３３を動かして係止溝内からノッチに回転させるステップと、
内栓３０を外カバー２０の底端に移動させ、係止ブロック３３を動かしてノッチから移動して係止溝を脱離させることにより、内栓３０と外カバー２０を分離するステップとを含む。
【００４７】
本考案の分解洗浄可能なカップカバーの有益な効果は、以下のとおりである。
本考案は、外カバーの係止フレームの内壁に係止溝を形成することによって、係止フレームの底端に係止溝に連通するノッチが形成されており、内栓の最上部を係止フレームに挿設することによって、内栓の係止ブロックを係止溝に挿設することによって内栓と外カバーとの位置制限接続を実現し、内栓を回転させることによって、係止ブロックを動かして係止溝内からノッチに回転させ且つノッチによって係止溝から脱離することにより、前記内栓と前記外カバーを分離する。
【００４８】
さらに、本考案は、内栓の側壁にロック部材をヒンジ接続し、弾性漏れ防止スリーブを内栓に嵌設してロック部材の底部を拘束して押圧することによって、ロック部材の最上部がヒンジ接続箇所の周りを外側に向いて回転し、内栓の最上部を外カバーの係止フレーム内に挿設する時、ロック部材の最上部が外カバーの係止フレーム内壁に支持されていることにより、接続ロック部材と外カバーを位置制限し、内栓と外カバーが誤って回転して取り外すことを防止する。
【００４９】
弾性漏れ防止スリーブを内栓から脱離することによりロック部材への押圧拘束を解除し、ロック部材が第一のバネの作用でヒンジ接続箇所の周りを回転し、ロック部材の上端を動かして係止フレームの内壁から脱離させることにより、内栓と外カバーが相対的に回転可能である。内栓と外カバーを相対的に回転させることにより係止ブロックを動かして係止溝内からノッチに回転させ且つノッチによって係止溝から脱離させ、内栓を取り出すことができる。本考案は、内栓と外カバーを取り外して別々の部品に分離することができ、洗浄しやすく、取り付けやすく、それにより本考案は、従来技術においてカバーカップは、汚れが蓄積しやすく、取り外して洗浄しにくいという問題を解決する。
【００５０】
図１４に示すように、本考案は、カバー付きのカップの実施形態を提供し、カップ本体１０ｂとカップカバー２０ｂを含み、カップ本体１０ｂの最上部にカップ開口スリーブ８０ｂが嵌設されており、前記カップ開口スリーブの外壁に突起ブロック８１ｂが形成されており、カップカバー２０ｂの内側壁に前記突起ブロック８１ｂに適合する凹溝が形成されており、前記凹溝の底部側壁が前記カップカバー２０ｂの底端に斜め下向きに延びる。
【００５１】
前記カップカバー２０ｂが前記カップ本体１０ｂの最上部に嵌設されている時、前記カップカバー２０ｂを回転させることによって前記突起ブロック８１ｂが前記凹溝の底部側壁に沿って前記凹溝内に挿設されるまで移動して固着を実現する。
【００５２】
以上、添付図面の実施例を結び付けて本考案を詳細に説明したが、当業者は、上記説明に基づいて本考案に対して種々の変更例をすることができる。したがって、実施例におけるいくつかの詳細は、本考案に対する限定を構成すべきではなく、本考案は、添付の実用新案登録請求の範囲によって画定される範囲を本考案の保護範囲とする。
【図１】
0003234978.tif 000003
【図２】
0003234978.tif 000004
【図３】
0003234978.tif 000005
【図４】
0003234978.tif 000006
【図５】
0003234978.tif 000007
【図６】
0003234978.tif 000008
【図７】
0003234978.tif 000009
【図８】
0003234978.tif 000010
【図９】
0003234978.tif 000011
【図１０】
0003234978.tif 000012
【図１１】
0003234978.tif 000013
【図１２】
0003234978.tif 000014
【図１３】
0003234978.tif 000015
【図１４】
0003234978.tif 000016
【手続補正書】
【提出日】令和3年10月5日(2021.10.5)
【手続補正１】
【補正対象書類名】明細書
【補正対象項目名】００１２
【補正方法】変更
【補正の内容】
【００１２】
【図１】本考案の分解洗浄可能なカップカバーの第一の実施例の分解概略図である。
【図２】本考案の分解洗浄可能なカップカバーの第一の実施例の外カバー図である。
【図３】本考案の分解洗浄可能なカップカバーの第一の実施例の外カバー断面図である。
【図４】本考案の分解洗浄可能なカップカバーがカップ本体に覆設されている第一の実施例の立体図である。
【図５】図４の断面図である。
【図６】本考案の分解洗浄可能なカップカバーがカップ本体から脱離する第一の実施例の立体図である。
【図７】図６の断面図である。
【図８】本考案の分解洗浄可能なカップカバーの第二の実施例の分解概略図である。
【図９】本考案の分解洗浄可能なカップカバーの第二の実施例の外カバー図である。
【図１０】〜
【図１１】本考案の分解洗浄可能なカップカバーがカップ本体に覆設されている第二の実施例の横断面図と側断面図である。
【図１２】〜
【図１３】本考案の分解洗浄可能なカップカバーがカップ本体から脱離する第二の実施例の横断面図と側断面図である。
【図１４】カップカバーとカップ本体とが閉蓋する時の横断面図である。